(57)【要約】【課題】迅速且つ高精度に温調することで、中心周波数のずれを抑制することができる導波管フィルタを提供すること。【解決手段】送信対象となる無線通信信号の周波数帯から不要な周波数帯域を除去させる導波管フィルタ１１と、前記導波管フィルタ１１の温度Ｔを計測する熱電対１５と、前記導波管フィルタ１１の側面および底面のそれぞれに複数貼付され、当該導波管フィルタ１１に対して加熱駆動または冷却駆動するペルチェ素子１２と、前記加熱駆動または冷却駆動によって生じたペルチェ排熱を外部へ除去するファン１４と、前記ファン１４を駆動させつつ、前記熱電対１５によって計測された温度Ｔに応じて前記導波管フィルタ１１を温度調整する前記ペルチェ素子１２の（加熱または冷却）駆動および停止を制御する制御部１６と、を備える。【選択図】図１
2019057753.tif 000002
【特許請求の範囲】
【請求項１】
送信対象となる無線通信信号の周波数帯から不要な周波数帯域を除去させる導波管と、
前記導波管の温度を計測する温度計測部と、
前記導波管の外壁に貼付され、当該導波管の温度を調整可能なペルチェ素子と、
前記導波管の温度調整によって自身から生じる前記ペルチェ素子の排熱を送風することにより除去する送風部と、
前記送風部を駆動させつつ、前記温度計測部によって計測された温度に応じて前記ペルチェ素子の駆動および停止を制御する制御部と、
を備える導波管フィルタ。
【請求項２】
前記制御部は、
前記導波管の温度が予め設定された値を超えている場合には、前記ペルチェ素子を冷却駆動させ、
前記温度が予め設定された値を下回っている場合には、前記ペルチェ素子を加熱駆動させ、
前記温度が予め設定された値の範囲内にある場合には、前記ペルチェ素子を停止させる請求項１に記載の導波管フィルタ。
【請求項３】
複数の羽部を有し、前記ペルチェ素子による排熱を前記羽部を介して空気中へ放熱させる放熱部を更に備え、
前記送風部は、前記放熱部により放熱された前記ペルチェ素子による排熱を送風することにより除去する請求項１または請求項２に記載の導波管フィルタ。
【請求項４】
前記制御部は、
前記導波管に不要な周波数帯域を除去させる前に、前記送風部を駆動させつつ、前記温度計測部によって計測された温度に応じて前記ペルチェ素子の駆動を制御し、当該導波管の温度を事前に調整する請求項１乃至請求項３のいずれか一項に記載の導波管フィルタ。
【請求項５】
送信対象となる無線通信信号の周波数帯から不要な周波数帯域を除去させる導波管と、前記導波管の温度を計測する温度計測部と、前記導波管の外壁に貼付され、当該導波管の温度を調整可能なペルチェ素子と、前記導波管の温度調整によって自身から生じる前記ペルチェ素子の排熱を送風することにより除去する送風部と、
を備えた導波管フィルタの温度を制御部により調整する方法であって、
前記送風部を駆動させつつ、前記温度計測部によって計測された温度に応じて前記ペルチェ素子の駆動および停止を制御すること、
を備える導波管フィルタの温度調整方法。
【請求項６】
送信対象となる無線通信信号の周波数帯から不要な周波数帯域を除去させる導波管と、前記導波管の温度を計測する温度計測部と、前記導波管の外壁に貼付され、当該導波管の温度を調整可能なペルチェ素子と、前記導波管の温度調整によって自身から生じる前記ペルチェ素子の排熱を送風することにより除去する送風部と、
を備えた導波管フィルタの温度を制御部により調整する方法であって、
前記送風部を駆動させつつ、前記温度計測部によって計測された温度に応じて前記ペルチェ素子をＰＩＤ制御すること、
を備える導波管フィルタの温度調整方法。
【発明の詳細な説明】
【技術分野】
【０００１】
本発明の実施形態は、導波管フィルタおよびその温度調整方法に関する。
【背景技術】
【０００２】
導波管フィルタは、導波管の入口から無線通信信号を入射し、当該導波管内を通過させることで無線通信信号の周波数帯のうち目的とする周波数帯（以下、対象周波数帯と呼ぶ）を通過させるフィルタであり、一例として低周波側を通過させるローパスフィルタや高周波側を通過させるハイパスフィルタがある。
【０００３】
この導波管フィルタは、例えば無線通信装置内の送信部より送信された無線通信信号のうち対象周波数帯の信号を後段のアンテナに供給する。
【０００４】
一方、前記導波管フィルタの中を通過する無線通信信号の中心周波数は、導波管の長さ（奥行き）や導波管形状などに依存する。そのため、形状が変化すると、前記無線通信信号のうち不要な周波数帯（以下、不要波と呼ぶ）を除去（フィルタリング）することができず、周囲の通信環境に多大な影響を及ぼしてしまう。
【０００５】
例えば、導波管フィルタは、一日を通した環境温度の変化、または導波管フィルタによる前記不要波のフィルタリングを行った際に発生する当該導波管フィルタ自体の温度変化（発熱）、によって前記形状が変化してしまう。
【０００６】
このような事象を考慮して、前記導波管フィルタは所定の周波数帯域幅を持たせるように設計されており、これにより前記対象周波数の無線通信信号を通過させている。
【０００７】
また、周囲の通信環境などの影響を考慮して、前記対象周波数帯のずれに対する精度を厳しくする必要のある導波管フィルタは、その導波管フィルタの材料にインバー（合金）等の線膨張係数の小さい材料を用いて変形を抑制する他、水冷により導波管フィルタの温度を一定に保つ工夫などがされている。
【先行技術文献】
【特許文献】
【０００８】
【特許文献１】特開２００２−３６８５０４号公報
【特許文献２】特開２００３−２８３２５７号公報
【特許文献３】特開２０１４−５０８９２９号公報
【発明の概要】
【発明が解決しようとする課題】
【０００９】
しかし、中心周波数のずれに対して許容幅が小さく、前記ずれに対して精度を厳しくする必要がある導波管フィルタにおいて、前記環境温度の変化や前記導波管フィルタ自体の発熱によって導波管フィルタに変形が生じてしまうと、導波管フィルタの性能が低下し、精度よく対象周波数帯を通過させることが困難であった。
【００１０】
また、前記導波管フィルタに水冷機器の設置をしようとすると、水漏れやスペースの確保が困難といった問題、またこの水冷機器では迅速な温度調整ができないといった問題もある。
【００１１】
本発明は、前記課題に鑑みてなされたものであり、迅速且つ高精度に温調し、中心周波数のずれを抑制することのできる導波管フィルタおよびその温度調整方法を提供することを目的とする。
【課題を解決するための手段】
【００１２】
実施形態に係る導波管フィルタは、送信対象となる無線通信信号の周波数帯から不要な周波数帯域を除去させる導波管と、前記導波管の温度を計測する温度計測部と、前記導波管の外壁に貼付され、当該導波管の温度を調整可能なペルチェ素子と、前記導波管の温度調整によって自身から生じる前記ペルチェ素子の排熱を送風することにより除去する送風部と、前記送風部を駆動させつつ、前記温度計測部によって計測された温度に応じて前記ペルチェ素子の駆動および停止を制御する制御部と、を備える。
【図面の簡単な説明】
【００１３】
【図１】本実施形態に係るペルチェ付導波管フィルタ１０の全体を示した斜視図。
【図２】前記ペルチェ付導波管フィルタ１０の平面図および側面図。
【図３】前記ペルチェ付導波管フィルタ１０の１−１’方向および２−２’方向における断面図。
【図４】前記ペルチェ付導波管フィルタ１０の制御部１６に係わる各機能部を示したブロック図。
【図５】前記ペルチェ付導波管フィルタ１０の温度調整プログラム１６ｂに従った温度調整処理を示すフローチャート。
【発明を実施するための形態】
【００１４】
以下、実施形態に係る導波管フィルタについて図面を参照して説明する。  
図１は、ペルチェ付導波管フィルタ１０の全体を示した斜視図である。このペルチェ付導波管フィルタ１０は、例えば無線通信装置内に設けられた送信部の後段であって、且つ無線通信信号を送信するアンテナの前段に配置される。なお、ここでは、前記送信部および前記アンテナについては図示していない。  
図２は、図１に示すペルチェ付導波管フィルタ１０の平面図および側面図である。
【００１５】
図１および図２に示すように、ペルチェ付導波管フィルタ１０は、導波管フィルタ１１（１１ａ、１１ｂ）、ペルチェ素子１２（１２ｓ、１２ｂ）、ヒートシンク１３（１３ｓ、１３ｂ）、ファン１４（１４ｓ、１４ｂ）、熱電対１５および制御部１６を備える。
【００１６】
導波管フィルタ１１は、導波管１１ａおよび不要波除去部１１ｂを備える。  
前記導波管１１ａおよび不要波除去部１１ｂは、温度変化時の変形を抑制するため、一般的には例えばインバー（合金）のような線膨張係数の小さな材料を用いるが、熱伝導率の高いアルミニウムや銅合金を用いてもよい。局所的な発熱による温度分布の不均一によって発生する前記導波管１１ａおよび不要波除去部１１ｂのゆがみを抑制でき、また複数あるペルチェ素子への負荷を平準化することが可能となる。
【００１７】
このため、本実施形態に係る導波管フィルタ１１は、常温Ｔｎｏｒｍａｌ（例えば、１５［℃］〜２５［℃］）よりも高い設定温度Ｔｓｅｔ（Ｔｈｉｇｈ１＜Ｔｓｅｔ＜Ｔｈｉｇｈ２）の範囲内で対象周波数帯を得ることができるよう設計がなされる。
【００１８】
この導波管１１ａは、前記送信部から出力された無線通信信号が入射される入力口ＩＮと、当該導波管１１ａ内を通過した後、前記アンテナに向けて対象周波数帯の無線通信信号を出力する出力口ＯＵＴと、を有する。
【００１９】
不要波除去部１１ｂは、円筒であって、その周囲が直方体の箱で覆われた形状で構成される。この円筒の上蓋の中心には、不要波調整部ＡＤが設けられる。
【００２０】
この不要波除去部１１ｂは、前記導波管１１ａの入力口ＩＮにて入射された無線通信信号のうち不要波を前記円筒部分でフィルタリングする機能を備える。このフィルタリングの際に、不要波が熱に変換されるため、導波管フィルタ１１の全体（導波管１１ａおよび不要波除去部１１ｂ）が発熱し、当該導波管フィルタ１１全体が膨張する。
【００２１】
前記ペルチェ素子１２は、前記導波管フィルタ１１の側面および底面にそれぞれ貼付されたペルチェ部１２ｓ、１２ｂを備える。
【００２２】
具体的には、図２（ａ）および図２（ｂ）に示すように、例えば４枚のペルチェ部１２ｓが、前記不要波除去部１１ｂと、ヒートシンク１３ｓと、で挟まれた当該不要波除去部１１ｂの側面に貼付される。
【００２３】
更に、図２（ｃ）に示すように、例えば２枚のペルチェ部１２ｂが、導波管１１ａと、ヒートシンク１３ｂと、で挟まれた当該導波管１１ａの底面に貼付される。
【００２４】
導波管フィルタ１１の前記側面および底面に貼付された前記ペルチェ部１２ｓ、１２ｂを駆動し、加熱あるいは冷却させることで当該導波管フィルタ１１の温度調整を可能とする。なお、ペルチェ素子１２は、対象物を加熱または冷却すると同時に当該ペルチェ素子１２自体が排熱することで知られている。以下では、これをペルチェ排熱と呼ぶこととする。
【００２５】
前記ヒートシンク１３（１３ｓ、１３ｂ）は、複数の羽部ＨＮを有し、当該羽部ＨＮから前記ペルチェ排熱を空気中に放熱する。
【００２６】
前記ファン１４は、一定の回転数で回転するファン１４ｓおよびファン１４ｂを備える。  
前記ファン１４ｓは、ヒートシンク１３ｓの外側にそれぞれ設けられる。このファン１４ｓは、ヒートシンク１３ｓを介して放熱され、当該ヒートシンク１３ｓ周辺に漂う前記ペルチェ排熱を除去することで、ヒートシンク１３ｓの温度を外部の環境温度に近づけて冷却する。
【００２７】
ファン１４ｂについても、ヒートシンク１３ｂの外側に設けられる。このファン１４ｂも前記ファン１４ｓと同様にヒートシンク１３ｂを介して放熱され、当該ヒートシンク１３ｂ周辺に漂う前記ペルチェ排熱を除去することで、ヒートシンク１３ｂの温度を外部の環境温度に近づけて冷却する。
【００２８】
このファン１４は、導波管フィルタ１１による最大発熱Ｔｍａｘや、真夏日などの最大環境温度Ｔｅｎｖ（例えば４０［℃］）に対しても、前記ペルチェ排熱を除去可能な回転数を有するものとする。
【００２９】
図３は、図１に示すペルチェ付導波管フィルタ１０の１−１’方向および２−２’方向における断面図である。  
図３（ａ）に示すように、不要波除去部１１ｂは、前記不要波調整部ＡＤを備える。不要波除去部１１ｂは、前記不要波調整部ＡＤの高さを調整することで不要波をフィルタリングする。
【００３０】
すなわち、前記入力口ＩＮに入射した無線通信信号（図中、Ｗｉｎと表記）から不要波調整部ＡＤの高さに応じた不要波が前記不要波除去部１１ｂにてフィルタリングされ、その結果、所望の周波数帯域を有した無線通信信号（図中、Ｗｏｕｔと表記）が前記出力口ＯＵＴから出力される。
【００３１】
なお、この導波管フィルタ１１を空洞共振器として機能させた場合、前記無線通信信号（Ｗｏｕｔ）に代えて、反射波（図中、Ｗｒｅｆと表記）が前記入力口ＩＮへ反射される。
【００３２】
また、ファン１４を一定の回転数で駆動させ、図３（ｂ）に示すような風の流れを作ることにより前記ペルチェ排熱を除去する。
【００３３】
熱電対１５は、例えば、導波管１１ａまたは不要波除去部１１ｂのいずれか所定の位置に付され、当該導波管１１ａおよび不要波除去部１１ｂの温度Ｔを、例えば０．１［℃］単位で計測する。なお、当該熱電対１５は、前記導波管１１ａおよび不要波除去部１１ｂの両者に付して、それぞれの温度Ｔを計測してもよい。
【００３４】
前記制御部１６は、ファン１４を常時駆動させ、ヒートシンク１３の温度を環境温度にまで近づけて冷却する。また、制御部１６は、前記環境変化や、導波管フィルタ１１自体の発熱、などによる当該導波管フィルタ１１の温度変化を前記熱電対１５に計測・取得させ、当該取得した温度Ｔが、予め設定した設定温度Ｔｓｅｔ（Ｔｈｉｇｈ１＜Ｔｓｅｔ＜Ｔｈｉｇｈ２）の範囲内であれば前記ファン１４の駆動を維持し、前記取得した温度が設定温度Ｔｓｅｔの範囲から外れた値であると、前記ファン１４の他、ペルチェ素子１２も駆動させて加熱または冷却を行い、導波管フィルタ１１の温度を設定温度Ｔｓｅｔの範囲に維持する。
【００３５】
図４は、前記ペルチェ付導波管フィルタ１０の制御部１６に係わる各機能部を示したブロック図である。  
前記制御部１６は、コンピュータとして機能するＣＰＵ１６ａの他、予め記憶された温度調整プログラム１６ｂを備える。
【００３６】
前記ＣＰＵ１６ａは、前記温度調整プログラム１６ｂに従い前記各機能部の動作を制御する。この場合、前記ＣＰＵ１６ａは、前記ペルチェ素子１２、ファン１３、および熱電対１５などを制御する、例えば温度調整器（図示せぬ）として機能する。この温度調整プログラム１６ｂは、前記無線通信装置へ電源供給がなされると起動される。
【００３７】
前記制御部１６には、前記ペルチェ素子１２（１２ｓ、１２ｂ）、前記ファン１４（１４ｓ、１４ｂ）の他、熱電対１５が接続される。
【００３８】
このように構成されたペルチェ付導波管フィルタ１０は、前記制御部１６が前記温度調整プログラム１６ｂに記述された命令に従い各機能部の動作を制御し、ソフトウエアとハードウエアとが協働して動作することにより、以下の動作説明で述べるような機能を実現する。
【００３９】
図５は、前記ペルチェ付導波管フィルタ１０の温度調整プログラム１６ｂに従った導波管温度調整処理を示すフローチャートである。
【００４０】
外部電源の供給により前記無線通信装置が起動され、前記送信部から無線通信信号が出力されると、前記ＣＰＵ１６ａによりファン１４を駆動させることで、ヒートシンク１３の温度を外部の環境温度に近づけるよう冷却する（ステップＳ１）。なお、ファン１４のここでの回転は定常とする。
【００４１】
その後、熱電対１５により導波管フィルタ１１の温度計測がなされ（ステップＳ２）、当該計測された温度Ｔが予め設定した設定温度Ｔｓｅｔの範囲内にあるか否かの判断がなされる（ステップＳ３）。
【００４２】
その結果、前記計測した温度Ｔが設定温度Ｔｓｅｔの範囲を超えている場合には、ファン１４による冷却に加え、更に前記ペルチェ素子１２を冷却駆動させ（ステップＳ４）、導波管フィルタ１１の温度を低下させるよう制御し、再度ステップＳ２以降の動作に戻る。
【００４３】
つまり、ステップＳ２の動作に戻り、再度熱電対１５による導波管フィルタ１１の温度計測をした結果、未だ設定温度Ｔｓｅｔの範囲を超えている場合には、前記ペルチェ素子１２を継続して冷却駆動させ、導波管フィルタ１１の温度Ｔを設定温度Ｔｓｅｔの範囲に維持する（ステップＳ２→Ｓ３→Ｓ４）。
【００４４】
なお、前記導波管フィルタ１１の温度Ｔを急速に設定温度Ｔｓｅｔの範囲内に設定したい場合には、ペルチェ素子１２に印加する電圧（電流）を上げてもよい。
【００４５】
その後、計測された温度Ｔが予め設定した設定温度Ｔｓｅｔの範囲内にあると判断されると、前記ペルチェ素子１２の（冷却、加熱）駆動を停止し（ステップＳ３→ステップＳ５）、前記ファン１４のみを駆動させた状態にして導波管フィルタ１１の温度計測に戻る（ステップＳ２）。
【００４６】
一方、熱電対１５により計測された温度Ｔが、前記予め設定した設定温度Ｔｓｅｔの範囲よりも低いと判断がされると、導波管フィルタ１１を設定温度Ｔｓｅｔの範囲まで上昇させるよう前記ペルチェ素子１２を加熱駆動させ、その後ステップＳ２の動作に戻る（ステップＳ３→Ｓ６→Ｓ２）。
【００４７】
そして、再度の熱電対１５による導波管フィルタ１１の温度計測の結果、未だ設定温度Ｔｓｅｔを下回っている場合には、前記ペルチェ素子１２を継続して加熱駆動させ、導波管フィルタ１１の温度Ｔを設定温度Ｔｓｅｔの範囲に維持する（ステップＳ２→Ｓ３→Ｓ６）。
【００４８】
なお、ここでは、前記ファン１４の回転数を定常として説明したが、当該回転数を増減させることで前記導波管フィルタ１１の温度調整をより効率的に行うようにしてもよい。
【００４９】
また、前記温度調整処理では、送信対象となる無線通信信号のフィルタリングが開始された後にファン１４およびペルチェ素子１２の動作を制御する構成としたが、これに限られない。
【００５０】
例えば、前記送信対象となる無線通信信号のフィルタリングの前に予めファン１４およびペルチェ素子１２の動作制御を開始する構成としてもよい。すなわち、フィルタリングによる導波管フィルタ１１自体の発熱前に前記ファン１４およびペルチェ素子１２を先に駆動させて、導波管フィルタ１１の温度Ｔを制御してもよい。
【００５１】
具体的にはフィルタリング前であるため、導波管フィルタ１１の温度Ｔが、例えば常温Ｔｎｏｒｍａｌであって設定温度Ｔｓｅｔに到達していない場合には、事前にペルチェ素子１２を加熱駆動させ、一方、フィルタリング前にも拘わらず、外部の環境温度の変化（上昇）により導波管フィルタ１１が既に設定温度Ｔｓｅｔを超えてしまっている場合には、事前にペルチェ素子１２を冷却駆動させてもよい。
【００５２】
したがって、前記構成のペルチェ付導波管フィルタ１０によれば、送信対象となる無線通信信号の周波数帯から不要な周波数帯域を除去させる導波管フィルタ１１と、前記導波管フィルタ１１の温度Ｔを計測する熱電対１５と、前記導波管フィルタ１１の側面および底面のそれぞれに複数貼付され、当該導波管フィルタ１１に対して加熱駆動または冷却駆動するペルチェ素子１２と、前記加熱駆動または冷却駆動によって生じたペルチェ排熱を外部へ除去するファン１４と、前記ファン１４を駆動させつつ、前記熱電対１５によって計測された温度Ｔに応じて前記導波管フィルタ１１を温度調整する前記ペルチェ素子１２の（加熱または冷却）駆動および停止を制御する制御部１６と、を備える。
【００５３】
これにより、熱電対１５にて計測した導波管フィルタ１１の温度Ｔが設定温度Ｔｓｅｔの範囲内にない場合には、ファン１４に加えて、ペルチェ素子１２を（加熱または冷却）駆動させることで、導波管フィルタ１１を迅速且つ高精度に温調し、導波管フィルタ１１の変形を抑えて、中心周波数のずれを抑制することが出来る。
【００５４】
そして、導波管フィルタ１１の前記設定温度Ｔｓｅｔは、常温Ｔｎｏｒｍａｌよりも高い温度にて設計されていることから、常温Ｔｎｏｒｍａｌに対応して設計温度Ｔｓｅｔを設計した場合に比べて前記ペルチェ素子１２による冷却を必要とする期間を減らすことができ、ペルチェ素子１２の駆動による消費電力を低減することができる。
【００５５】
さらに、熱電対１５にて計測した導波管フィルタ１１の温度Ｔが設定温度Ｔｓｅｔの範囲内にある場合には、ファン１４のみを駆動させることから、更に消費電力を低減することができる。
【００５６】
またさらに、前記送信対象となる無線通信信号をフィルタリングする前にファン１４およびペルチェ素子１２を、例えば冷却駆動させることで、事前に導波管フィルタ１１自体の発熱に対処することができ、効率的に設定温度Ｔｓｅｔに温度を調整することができる。
【００５７】
ペルチェ素子１２の駆動制御は、当該ペルチェ素子１２のＯＮ／ＯＦＦ切替のみではなく、例えばＰＩＤ制御などで発熱量の変化や環境温度の変化による導波管フィルタ１１の温度変化に対応した電流制御を行い、設定温度Ｔｓｅｔ（Ｔｈｉｇｈ１＜Ｔｓｅｔ＜Ｔｈｉｇｈ２）の範囲を小さくして、より高精度に温度を一定に維持することも可能である。
【００５８】
この場合、前記ステップＳ５の処理ステップが不要となる。つまり、計測された温度Ｔが予め設定した設定温度Ｔｓｅｔの範囲内にあると判断された場合であっても（ステップＳ３、範囲内）、前記ペルチェ素子１２を継続して（冷却、加熱）駆動し、前記ＰＩＤ制御による導波管フィルタ１１の温度制御を行う。
【００５９】
ここで、ＰＩＤ制御とは、Ｐ（Ｐｒｏｐｏｔｉｏｎａｌ:比例）制御、Ｉ（Ｉｎｔｅｇｒａｌ：積分）制御、およびＤ（Ｄｅｆｆｅｒｅｎｔａｉｌ：微分）制御を指す。
【００６０】
つまり、ペルチェ素子１２に前記ＰＩＤ制御を実行することで、まず（１）Ｐ制御にて目標とする設定温度Ｔｓｅｔとの差に比例した出力電圧［Ｖ］で当該ペルチェ素子１２を駆動するが、このＰ制御だけでは設定温度Ｔｓｅｔ付近でオフセットを生じる（設定温度Ｔｓｅｔ付付近で安定してしまう）場合が多いため、次いで（２）設定温度Ｔｓｅｔとの差をＩ制御（積分または加算）して前記オフセットを打ち消し、また（３）外部の環境温度の影響で現在の温度Ｔが変化してしまった場合に、Ｄ制御（変化率を加算）して、当該温度Ｔを設定温度Ｔｓｅｔに追従させてもよい。これにより、より高精度に導波管フィルタ１１の温度Ｔを一定に維持することが可能となる。
【００６１】
なお、本発明は、前記実施形態に限定されるものではなく、実施段階ではその要旨を逸脱しない範囲で種々に変形することが可能である。さらに、前記実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００６２】
１０…ペルチェ付導波管フィルタ、１１…導波管フィルタ、１１ａ…導波管、
１１ｂ…不要波除去部、ＡＤ…不要波調整部、
１２…ペルチェ素子、１２ｓ、１２ｂ…ペルチェ部、
１３、１３ｓ、１３ｂ…ヒートシンク、１４、１４ｓ、１４ｂ…ファン、
１５…熱電対、１６…制御部、１６ａ…ＣＰＵ、１６ｂ…温度調整プログラム。
【図１】
2019057753.tif 000003
【図２】
2019057753.tif 000004
【図３】
2019057753.tif 000005
【図４】
2019057753.tif 000006
【図５】
2019057753.tif 000007